【事件の表示】
　特許第３０２０４２０号「建物の配管収納部構造」の請求項１、２に係る特許に対する特許異議の申立てについて、次のとおり決定する。
【結　論】
　訂正を認める。
　特許第３０２０４２０号の請求項１および２に係る特許を維持する。
【理　由】
１．手続の経緯
　本件特許第３０２０４２０号に係る出願は、平成６年１２月６日の出願であって、平成１２年１月１４日に特許の設定登録がなされ、その後、岡田芳子から特許異議の申立がなされ、取消理由通知が通知され、その指定期間内である平成１３年１月１１日付けで訂正請求がなされたものである。
　
２．訂正の要旨
　訂正事項ａ：特許請求の範囲を、次のように訂正する。
「【請求項１】　天井に当接または近接する高さに形成されている収納庫を、直交する壁面のコーナー部でそれぞれの壁面と所定距離離間する位置に設置すると共に、前記収納庫と前記壁面との間の隙間をカバーで塞ぐことにより、前記収納庫と前記壁面のコーナー部と前記カバーと天井ならびに床とで囲まれた略Ｌ形の配管収納スペースが形成されており、前記収納庫の背板が、前記収納庫の内側から取り外し可能に設置されていることを特徴とする建物の配管収納部構造。
【請求項２】　前記収納庫の側板に背板より後方に突出した延長部が設けられ、その延長部で前記カバーの一方が形成されている請求項１記載の建物の配管収納部構造。」
　訂正事項ｂ：明細書の段落【０００６】の【課題を解決するための手段】の記載を、次のように訂正する。
「上記目的を達成するために、本発明の建物の配管収納部構造では、天井に当接または近接する高さに形成されている収納庫を、直交する壁面のコーナー部でそれぞれの壁面と所定距離離間する位置に設置すると共に、前記収納庫と前記壁面との間の隙間をカバーで塞ぐことにより、前記収納庫と前記壁面のコーナー部と前記カバーと天井ならびに床とで囲まれた略Ｌ形の配管収納スペースが形成されており、前記収納庫の背板が、前記収納庫の内側から取り外し可能に設置されている。なお、収納庫の側板に背板より後方に突出した延長部を設け、その延長部で前記カバーの一方を形成してもよい。」
　訂正事項ｃ：明細書の段落【０００７】の【作用】の記載を、次のように訂正する。
「本発明の建物の配管収納部構造では、前記収納庫と前記壁面のコーナー部と前記カバーと天井ならびに床とで略Ｌ形の配管収納スペースを形成しているので、この配管収納スペースには、床を貫通して垂直方向に配管されている管を収納することができる。また、配管収納専用に壁を建てる必要がないので、空間効率がよく、施工に手間がかからないし、コストも高くならないようにすることができる。」　
　訂正事項ｄ：明細書の段落【００２０】の記載を、次のように訂正する。
「以上、本発明の実施例を図面により詳述してきたが、具体的な構成はこの実施例に限られるものではなく、本発明の要旨を逸脱しない範囲における設計の変更等があっても本発明に含まれる。例えば、実施例では、洗面キャビネットの隣に配管収納スペースを形成した例を示したが、本発明構造は、洗面所に限らず、台所、トイレなど、管が配管されている場所であればどこに適用してもよい。」
　訂正事項ｅ：明細書の段落【００２１】の【発明の効果】の記載を、次のように訂正する。
「以上説明したように、本発明請求項１記載の配管収納部構造にあっては、収納庫と壁面のコーナー部とカバーと天井ならびに床とで略Ｌ形の配管収納スペースを形成したので、この配管収納スペースに、床を貫通して垂直方向に配管されている管を収納することができると共に、空間効率がよく、施工に手間がかからず、コストが高くならないようにすることができる。また、前記収納庫の背板を収納庫の内側から取り外すことができるので、収納庫を移動させなくても配管収納スペース内を点検することができる。」
　訂正事項ｆ：明細書の段落【００２２】の【符号の説明】の記載を、次のように訂正する。
「１　収納庫
　１６　背板
　２，３　壁面
　４　カバー
　５　天井
　６　床
　１１１　延長部
　ＰＳ　配管収納スペース」
　
３．訂正の適否
（１）訂正の目的の適否、新規事項の有無及び拡張・変更の存否
　上記訂正事項ａに係る訂正は、特許請求の範囲の減縮を目的とするものであり、しかもその訂正は、特許明細書の記載の範囲内のものであり、さらに、実質的に特許請求の範囲を拡張し、又は変更するものではない。
　また、訂正事項ｂ〜ｆに係る訂正は、訂正事項ａに関連し、特許請求の範囲との整合をとるためなされた明瞭でない記載の釈明に該当し、特許明細書の記載の範囲内のものであり、実質的に特許請求の範囲を拡張し、又は変更するものではない。
　したがって、上記訂正は、特許法第１２０条の４第２項及び第３項で準用する特許法第１２６条第２項及び第３項の規定に適合するので、当該訂正を認める。
　  　
４．異議の申立てについての判断
（１）本件訂正後発明
　本件訂正明細書の請求項１および２に係る発明は、訂正明細書の特許請求の範囲の請求項１および２に記載された下記のとおりのものである（以下、「訂正後発明１」および「訂正後発明２」という。）。
【請求項１】　天井に当接または近接する高さに形成されている収納庫を、直交する壁面のコーナー部でそれぞれの壁面と所定距離離間する位置に設置すると共に、前記収納庫と前記壁面との間の隙間をカバーで塞ぐことにより、前記収納庫と前記壁面のコーナー部と前記カバーと天井ならびに床とで囲まれた略Ｌ形の配管収納スペースが形成されており、前記収納庫の背板が、前記収納庫の内側から取り外し可能に設置されていることを特徴とする建物の配管収納部構造。
【請求項２】　前記収納庫の側板に背板より後方に突出した延長部が設けられ、その延長部で前記カバーの一方が形成されている請求項１記載の建物の配管収納部構造。
　
（２）申立ての理由の概要
　申立人岡田芳子は、証拠として甲第１号証（実願昭６０−８９１７９号（実開昭６１−２０４５８８号）のマイクロフィルム）、甲第２号証（特開平６−８１３８２号公報）を提出して、本件請求項１および２に係る特許発明は、甲第２号証に記載された発明と実質的に同一であるから、特許法第２９条第１項第３号の規定により特許を受けることができないものであるかまたは、甲第１号証および甲第２号証に記載された発明に基づいて、当業者が容易に発明をすることができたものであるから、特許法第２９条第２項の規定により特許を受けることができないものであり、本件の特許を取り消すべきであると主張している。
　
（３）甲各号証記載の発明
　甲第１号証には、第７頁第１７行から第９頁第９行及び第９，１０図の記載を参照すると、「天井に近接する高さに形成されている洗面化粧台のサイド収納キャビネットの背面板が若干手前側に浮き出るように背面側から間隔をおいて両側板間に設置され、両側板の背面端を壁面に接するように配設することにより、サイド収納キャビネットの背面板と、壁面と、両側板の背面板より背面側の部分及び天井ならびに床とで囲まれた配管部材収容用スペースが形成されている配管部材収納用スペースの構造」が記載されている。
　甲第２号証には、段落【００１０】、【００１７】、【００１８】、【００１９】及び図１，２の記載を参照すると、「床から天井まで連続しておりかつ壁の前面に設けられている収納庫の収納用スペースを覆い板で仕切って奥部を、収納庫と壁と収納庫の奥側側板と天井ならびに床とで囲まれた縦方向の配管用スペースとし、覆い板は収納用スペース側から取り外し可能に木ネジ等により固定されている、建物における配管の配設構造」が記載されている。
　
（４）対比・判断　
　訂正後発明１と、甲第２号証に記載された発明とを比較すると、甲第２号証に記載された発明の「壁」、「覆い板」、「配管用スペース」および「配管の配設構造」は、それぞれの機能に照らし、各々、訂正後発明１の「壁面」、「背板」、「配管収納スペース」及び「配管収納部構造」に相当し、甲第２号証に記載された発明の「収納庫の奥側側板」は、訂正後発明１の「カバー」に対応するから、両者は、天井に当接する高さに形成されている収納庫を、壁面にそれぞれの壁面と所定距離離間する位置に設置すると共に、前記収納庫と前記壁面との間の隙間をカバーで塞ぐことにより、前記収納庫と前記壁面と前記カバーと天井ならびに床とで囲まれた配管収納スペースが形成されており、前記収納庫の背板が、前記収納庫の内側から取り外し可能に設置されていることを特徴とする建物の配管収納部構造の点で一致し、訂正後発明１では、直交する壁面のコーナー部に略Ｌ形の配管収納スペースを形成しているのに対して、甲第２号証に記載された発明ではそのような構成を有していない点で相違する。そして、訂正後発明１はこの点によって、平成１３年１月１１日提出の意見書で主張する「収納庫の背後と側部とに大きな配管収納スペースを確保でき、また、収納庫の側部において配管を位置させる場合は、収納庫背後に配管を位置させるのに比して点検等し易く、さらに、収納庫側部と側方の壁部との間の間隔で寸法誤差が生じても、カバーの横幅寸法を調整することで寸法誤差を吸収し、収納庫前面から見て隙間を生じないようにすることができる。」という作用効果を奏するものである。
　したがって、訂正後発明１は、甲第２号証に記載された発明と実質的に同一であるとはいえない。
　また、上記相違点における訂正後発明１の構成は、甲第１号証にも記載されておらず、又、示唆するところもないから、訂正後発明１が、甲第１号証および甲第２号証に記載された発明に基づいて当業者が容易に発明をすることができたものともいえない。
　さらに、訂正後発明２は、訂正後発明１を技術的に限定したものであり、訂正後発明２についても、訂正後発明１で検討したのと同様のことがいえるから、訂正後発明２は、甲第２号証に記載された発明と実質的に同一であるとも、甲第１号証および甲第２号証に記載された発明に基づいて当業者が容易に発明をすることができたものともいえない。
　
５．むすび
　以上のとおりであるから、異議申立ての理由及び証拠によっては、本件訂正後発明１および２に係る特許を取り消すことはできない。
　また、他に本件訂正後発明１および２に係る特許を取り消すべき理由を発見しない。
　よって、結論のとおり決定する。
【異議決定日】
平成１３年１月２９日（２００１．１．２９）
【訂正の要旨】
訂正の要旨
　特許第３０２０４２０号の明細書を、特許請求の範囲の減縮を目的として訂正事項ａのように、また、訂正事項ａに関連してなされた明りょうでない記載の釈明を目的として訂正事項ｂ〜ｆのように訂正する。
　訂正事項ａ：特許請求の範囲を、次のように訂正する。
「【請求項１】天井に当接または近接する高さに形成されている収納庫を、直交する壁面のコーナー部でそれぞれの壁面と所定距離離間する位置に設置すると共に、前記収納庫と前記壁面との間の隙間をカバーで塞ぐことにより、前記収納庫と前記壁面のコーナー部と前記カバーと天井ならびに床とで囲まれた略Ｌ形の配管収納スペースが形成されており、前記収納庫の背板が、前記収納庫の内側から取り外し可能に設置されていることを特徴とする建物の配管収納部構造。
　【請求項２】前記収納庫の側板に背板より後方に突出した延長部が設けられ、その延長部で前記カバーの一方が形成されている請求項１記載の建物の配管収納部構造。」
　訂正事項ｂ：明細書の段落【０００６】の【課題を解決するための手段】の記載を、次のように訂正する。
「上記目的を達成するために、本発明の建物の配管収納部構造では、天井に当接または近接する高さに形成されている収納庫を、直交する壁面のコーナー部でそれぞれの壁面と所定距離離間する位置に設置すると共に、前記収納庫と前記壁面との間の隙間をカバーで塞ぐことにより、前記収納庫と前記壁面のコーナ一部と前記カバーと天井ならびに床とで囲まれた略Ｌ形の配管収納スペースが形成されており、前記収納庫の背板が、前記収納庫の内側から取り外し可能に設置されている。なお、収納庫の側板に背板より後方に突出した延長部を設け、その延長部で前記カバーの一方を形成してもよい。」
　訂正事項ｃ：明細書の段落【０００７】の【作用】の記載を、次のように訂正する。
「本発明の建物の配管収納部構造では、前記収納庫と前記壁面のコーナー部と前記カバーと天井ならびに床とで略Ｌ形の配管収納スペースを形成しているので、この配管収納スペースには、床を貫通して垂直方向に配管されている管を収納することができる。また、配管収納専用に壁を建てる必要がないので、空間効率がよく、施工に手間がかからないし、コストも高くならないようにすることができる。」
　訂正事項ｄ：明細書の段落【００２０】の記載を、次のように訂正する。
「以上、本発明の実施例を図面により詳述してきたが、具体的な構成はこの実施例に限られるものではなく、本発明の要旨を逸脱しない範囲における設計の変更等があっても本発明に含まれる。例えば、実施例では、洗面キャビネットの隣に配管収納スペースを形成した例を示したが、本発明構造は、洗面所に限らず、台所、トイレなど、管が配管されている場所であればどこに適用してもよい。」
　訂正事項ｅ：明細書の段落【００２１】の【発明の効果】の記載を、次のように訂正する。
「以上説明したように、本発明請求項１記載の配管収納部構造にあっては、収納庫と壁面のコーナー部とカバーと天井ならびに床とで略Ｌ形の配管収納スペースを形成したので、この配管収納スペースに、床を貫通して垂直方向に配管されている管を収納することができると共に、空間効率がよく、施工に手間がかからず、コストが高くならないようにすることができる。また、前記収納庫の背板を収納庫の内側から取り外すことができるので、収納庫を移動させなくても配管収納スペース内を点検することができる。」
　訂正事項ｆ：明細書の段落【００２２】の【符号の説明】の記載を、次のように訂正する。
「１　収納庫
　１６　背板
　２，３　壁面
　４　カバー
　５　天井
　６　床
　１１１　延長部
　ＰＳ　配管収納スペース」
（５４）【発明の名称】
建物の配管収納部構造
（５７）【特許請求の範囲】
　　【請求項１】天井に当接または近接する高さに形成されている収納庫を
、直交する壁面のコーナー部でそれぞれの
のコーナー部
略Ｌ形の
　　【請求項２】前記収納庫の側板に背板より後方に突出した延長部が設けられ、その延長部で前記カバー
の一方
【発明の詳細な説明】
　　　【０００１】
　　【産業上の利用分野】
　本発明は、建物の配管収納部構造に関する。
　　　【０００２】
　　【従来の技術】
　多層建物においては、２階より上の階に配管した給排水管やガス管や給湯管などの管を、床を貫通して下の階に配管させることがある。従来の建物では、このように床を貫通して垂直方向に配管されている管が、室内にむき出しのままになっていたり、配管収納専用に建てた壁によって覆い隠されていたりするのが一般である。
　　　【０００３】
　　【発明が解決しようとする課題】
　しかしながら、管が室内に向き出しの状態になっていると、見栄えが悪いし、管内を流れる水の音が聞こえて気になることもある。また、管を専用の壁で覆い隠すと、見栄えは良くなるし、管内を流れる水の音も聞こえ難くなるものの、空間効率が悪いと共に、施工に手間がかかり、コストも高くなるという問題があった。
　　　【０００４】
　なお、施工に手間がかからず、低コストでありながら、配管されている管を空間効率良く収納することができるものとして、例えば、特開平４−１７０９０５号公報に記載されているような厨房設備や、実公昭６０−３８９５８号公報に記載されているようなバスユニットがある。ところが、前記厨房設備は、この厨房設備に接続されている管を収納することしか考慮されておらず、また、前記バスユニットは、このバスユニットに接続されている管を収納することしか考慮されていないので、床を貫通して垂直方向に配管されている管を収納することはできない。
　　　【０００５】
　そこで、本発明は、上記のような問題に着目し、床を貫通して垂直方向に配管されている管を収納することができ、しかも、空間効率がよく、施工に手間がかからず、コストが高くならないようにすることができる建物の配管収納部構造を提供することを目的としている。
　　　【０００６】
　　【課題を解決するための手段】
　上記目的を達成するために、本発明の建物の配管収納部構造では、天井に当接または近接する高さに形成されている収納庫を
、直交する壁面のコーナー部でそれぞれの
のコーナー部
略Ｌ形
の一方
　　　【０００７】
　　【作用】
　本発明の建物の配管収納部構造では、
前記
前記
のコーナー部
前記
略Ｌ形の
　　　【０００８】
　前記配管収納スペース内を点検する場合には、収納庫の背板を収納庫の内側から取り外し、そうすることによって形成された収納庫の背面側の開口部を点検口として点検作業を行うことができる。
　　　【０００９】
　なお、収納庫の側板に設けた延長部でカバーを形成すると、カバーの取り付け作業が不要になるので、施工性が更に向上する。
　　　【００１０】
　　【実施例】
　以下、図面に基づいて、実施例の建物の配管収納部構造について説明する。図１は本実施例の建物の配管収納部構造を示す平面図、図２は図１の要部ＩＩの拡大図、図３は図１のＩＩＩ−ＩＩＩ断面図で、本実施例の配管収納部構造では、洗面キャビネットＫの右側に、収納庫１と、壁面２，３のコーナー部と、カバー４と、天井５ならびに床６とで囲まれた配管収納スペースＰＳが構成されている。
　　　【００１１】
　前記収納庫１は、図３に示すように、天井５に当接ならびに近接する高さに形成されている。また、この収納庫１は、図３ならびに図６に示すように、左側板１１ならびに右側板１２と、これらの両側板１１，１２を連結している木枠１３と、天板１４ならびに地板１５と、背板１６と、上扉１７ａ、中扉１７ｂ、下扉１７ｄと、幕板１８と、蹴込み板１９と、で外側が構成され、２枚の固定棚板２０，２０によって内部が上中下３つの空間に仕切られている。また、上の空間には３枚の可動棚板２１が設けられ、中央の空間には５個のワイヤー籠２２が設けられ、下の空間には一枚の可動棚板２１が設けられている。
　　　【００１２】
　前記背板１６は、上下４つの板材１６１，１６２，１６３，１６４に分割されており、これらの板材１６１，１６２，１６３，１６４は、それぞれ、前記木枠１３に対して木ねじ７で固定されている。また、１番上の板材１６１は、天板１４と上側の固定棚板２０との間に配置されていて、前記木ねじ７を取り外すことによって収納庫１の内側から取り外すことができるようになっており、３番目の板材１６３は、下側の固定棚板２０と地板１５との間に配置されていて、前記木ねじ７を取り外すことによって収納庫１の内側から取り外すことができるようになっている。
　　　【００１３】
　前記左側板１１には、背板１６よりも後方に突出した延長部１１１が設けられており、その延長部１１１で、収納庫１と、その収納庫１の後側に位置する壁面２との間の隙間を塞ぐカバーが形成されている。
　　　【００１４】
　また、この収納庫１は、前記背板１６が後側の壁面２と所定距離離間すると共に、前記右側板１２が右側の壁面３と所定距離離間する位置に設置されており、前記左側板１１の延長部１１１がＬ形金具８を介して前記壁面２に固定されている。
　　　【００１５】
　前記カバー４は、図２に示すように、前記収納庫１と、その収納庫１の右側に位置する壁面３との間の隙間を塞ぐ位置に設けられており、前記収納庫１の右側板１２と前記壁面３とに木桟９を固定した後に、それらの木桟９に対して固定されている。
　　　【００１６】
　次に、実施例の配管収納部構造の作用を説明する。
　　　【００１７】
　施工の際は、天井５に当接または近接する高さに形成されている収納庫１を、その背板１６が後側の壁面２と所定距離離間すると共に右側板１２が右側の壁面３と所定距離離間する位置に設置すると共に、前記収納庫１とその右側に位置する壁面３との間の隙間をカバー４で塞ぐ。そうすることにより、前記収納庫１と前記壁面２，３と前記カバー４と天井５ならびに床６とで囲まれたＬ形の配管収納スペースＰＳが形成される。なお、収納庫１とその後側に位置する壁面２との間の隙間は、収納庫１の左側板１１に設けた延長部１１１で塞がれるので、こちら側はカバーの取り付け作業が不要である。
　　　【００１８】
　つまり、本実施例の建物の配管収納部構造では、収納庫１と壁面２，３とカバー４と天井５ならびに床６とで配管収納スペースＰＳを形成しているので、この配管収納スペースＰＳには、図３に示すように、床６を貫通して垂直方向に配管されている管Ｐを収納することができる。また、配管収納専用に壁を建てる必要がないので、空間効率がよく、施工に手間がかからないし、コストも高くならないようにすることができる。
　　　【００１９】
　前記配管収納スペースＰＳ内を点検する場合には、収納庫１の背板１６の上部を形成している１番上の板材１６１、あるいは、前記背板１６の下部を形成している上から３番目の板材１６３を収納庫１の内側から取り外し、そうすることによって形成された収納庫１の背面１６側の開口部１６０を点検口として点検作業を行うことができる。つまり、収納庫１を移動させなくても配管収納スペースＰＳ内を点検することができる。なお、図６は、前記板材１６１，１６３を２枚共取り外した状態を示している。
　　　【００２０】
　以上、本発明の実施例を図面により詳述してきたが、具体的な構成はこの実施例に限られるものではなく、本発明の要旨を逸脱しない範囲における設計の変更等があっても本発明に含まれる。例えば、実施例で
は、洗
　　　【００２１】
　　【発明の効果】
　以上説明したように、本発明請求項１記載の配管収納部構造にあっては、収納庫と壁面
のコーナー部
略Ｌ形の
　　　【００２２】
　また、本発明請求項２記載の配管収納部構造にあっては、収納庫の側板に設けた延長部でカバーを形成しているので、施工時にはカバーの取り付け作業が不要となり、施工性が更に向上する。
【図面の簡単な説明】
　　【図１】
　実施例の建物の配管収納部構造を示す平面図である。
　　【図２】
　図１の要部ＩＩの拡大図である。
　　【図３】
　図１のＩＩＩ−ＩＩＩ断面図である。
　　【図４】
　収納庫を示す斜視図である。
　　【図５】
　収納庫を示す断面図である。
　　【図６】
　実施例の建物の配管収納部構造を示す断面図である。
　　【符号の説明】
１　収納庫
１６　背板
２，３　壁面
４　カバー
５　天井
６　床
１１１　延長部
ＰＳ　配管収納スペース